(57)【特許請求の範囲】
【請求項１】
ボビンの鍔部に形成した端子保持部にＬ字型端子を植設して、該端子保持部の側面にコイルの端末と接続する接続端子を出し、その下面に外部回路と接続する外部端子を出してなるコイルボビンに編組線を巻いた電子部品において、
該コイルの端末を挟持する溝をボビン下面に該外部端子と平行に設けたことを特徴とする編組線を用いた電子部品。
【請求項２】
ボビンの鍔部に形成した端子保持部にＬ字型端子を植設して、該端子保持部の側面にコイルの端末と接続する接続端子を出し、その下面に外部回路と接続する外部端子を出してなるコイルボビンに編組線を巻いた電子部品において、
該コイルの端末を挟持する溝をボビン側面に該接続端子と平行に設けたことを特徴とする編組線を用いた電子部品。
【請求項３】
前記溝の断面形状をＵ字型またはＶ字型とした請求項１または請求項２記載の編組線を用いた電子部品。
【請求項４】
前記溝を形成したガイドに該コイルの端末を保持するＵ字状またはＶ字状のスリットを設けた請求項１または請求項２記載の編組線を用いた電子部品。
【請求項５】
ボビンの鍔部に形成した端子保持部にＬ字型端子を植設して、該端子保持部の側面にコイルの端末と接続する接続端子を出し、その下面に外部回路と接続する外部端子を備え、該コイルの端末を挟持する溝をボビン下面またはボビン側面に該外部端子と平行に設けてなるコイルボビンに編組線を巻回し、巻回された巻線の端末を該接続端子に突き刺して係止し、該端末を該溝部に押し込み挟持したのち、該端末の余部を切断し、次いで該端末と該接続端子をはんだ付けする編組線を用いた電子部品の製造方法。
【請求項６】
ボビンの鍔部に形成した端子保持部にＬ字型端子を植設して、該端子保持部の側面にコイルの端末と接続する接続端子を出し、その下面に外部回路と接続する外部端子を備え、該コイルの端末を挟持する溝をボビン下面またはボビン側面に該外部端子と平行に設けてなるコイルボビンに編組線を巻回し、巻回された巻線の端末を該接続端子に突き刺して係止し、該端末の余部を切断したのち、該溝部に押し込み挟持し、次いで該端末と該接続端子をはんだ付けする編組線を用いた電子部品の製造方法。
【請求項７】
ボビンの鍔部に形成した端子保持部にＬ字型端子を植設して、該端子保持部の側面にコイルの端末と接続する接続端子を出し、その下面に外部回路と接続する外部端子その下面に外部回路と接続する外部端子を備え、
該コイルの端末を挟持する溝をボビン下面またはボビン側面に該外部端子と平行に設け、該溝を形成するガイドに該コイルの端末を保持するスリットを設けてなるコイルボビンに編組線を巻回し、巻回された巻線の端末を、該接続端子に突き刺して係止し、該コイルの端末を該スリットに保持したのち、該端末を該溝部に押し込み余部を切断し、次いで該端末と該接続端子をはんだ付けする編組線を用いた電子部品の製造方法。
【発明の詳細な説明】
【０００１】
【発明の属する技術分野】
本発明は、スイッチングトランス等の電源トランスに用いられる編組線を用いた電子部品とその電子部品の製造方法に関する。
【０００２】
【従来の技術】
一般にコイルやトランス等の電子部品は、ボビンの両端に設けられた鍔部の一端面を幅を厚くした端子保持部とし、この端子保持部に接続端子を植設している。そしてボビンの鍔部と鍔部の間に巻回したコイルの端末を前記接続端子にからげてはんだ付けするようになっている。
ここで、大電流の用途に用いられる小型で低損失のトランスとして、巻線に複数の絶縁された単線の集合線を、各集合線が内側と外側へ交互に転位するように編むことによって、外殻形状が平角線に近似するように連続形成した編組線を用いた一般的なコイルを図３に示す。
【０００３】
図３において、３０は編組線、３１は絶縁性の合成樹脂により鍔部と巻線部を一体成形されたコイルボビン、３２は編組線３０で巻回した巻線であり、３２ａは巻線の端末である。３３は巻線の端末と外部とを接続する外部接続端子である。
コイルボビン３１に巻回された巻線３２の端末３２ａは、鍔部に設けられた外部接続端子３３にからげられ、余分な端末を切断し、はんだ付けされる。このように、編組線の端末を外部接続端子３３にからげた時、図３（Ｂ）のからげ部の拡大図のようにからげ３４が大きくなり（ａ）、回路基板に搭載したとき不安定となる。そして、このからげ部を考慮してコイルボビンの底面にスタンドオフを設ける（図示せず）と大型化してしまうという問題がある。また、編組線の端末を切断した断面においては、集合線がほつれてひげ３４となり他の外部端子や他部品とショートするという問題があった。そこで、端末のほつれがでないようにするために、図３（Ｃ）のように外部接続端子として一般的に圧着端子３５が用いられるが、圧着端子３５を用いることにより圧着工程が増えるとともに外部接続端子との接続が複雑となる問題があった。
【０００４】
【発明が解決しようとする課題】
本発明は、このような背景に鑑みなされたものであり、編組線を用いたトランスなどの電子部品において、小型化を図りつつ、作業性が良い、ひげによるショートが発生しないコイルボビンを用いた電子部品を提供することを目的とする。
【０００５】
【課題を解決するための手段】
上記の課題を解決するために、本発明は、ボビンの鍔部に形成した端子保持部にＬ字型端子を植設して、端子保持部の側面にコイルの端末と接続する接続端子を出し、その下面に外部回路と接続する外部端子を出してなるコイルボビンに編組線を巻いた電子部品において、コイルの端末を挟持する溝をボビン下面に外部端子と平行に設けたことを特徴とする。
または、コイルの端末を挟持する溝をボビン側面に接続端子と平行に設けたことを特徴とする。コイルの端末を挟持する溝の形状をＵ字型またはＶ字型にしてコイルの端末を保持しやすくする。
また、溝を形成したガイドにコイルの端末を保持するＵ字状またはＶ字状のスリットを設け、端末を切断する作業を容易にする。
【０００６】
そして、編組線を用いた電子部品の製造方法は、ボビンの鍔部に形成した端子保持部にＬ字型端子を植設して、端子保持部の側面にコイルの端末と接続する接続端子を出し、その下面に外部回路と接続する外部端子を備え、該コイルの端末を挟持する溝をボビン下面またはボビン側面に該外部端子と平行に設けてなるコイルボビンに編組線を巻回し、巻回された巻線の端末を接続端子に突き刺して係止し、端末を溝部に押し込み挟持したのち、端末の余部を切断し、次いで端末と接続端子をはんだ付けする。
または、巻回された巻線の端末を接続端子に突き刺して係止し、端末の余部を切断したのち、溝部に押し込み挟持し、次いで端末と接続端子をはんだ付けする。また、溝を形成するガイドにコイルの端末を保持するスリットを設けてなるコイルボビンに巻回された巻線の端末を、接続端子に突き刺して係止し、コイルの端末をスリットに保持したのち、端末を溝部に押し込み切断し、次いで端末と接続端子をはんだ付けする。
【０００７】
【発明の実施の形態】
本発明の編組線を用いた電子部品は、ボビンの鍔部に形成した端子保持部にＬ字型端子を植設して、端子保持部の側面にコイルの端末と接続する接続端子を出し、その下面に外部回路と接続する外部端子を出してなるコイルボビンに編組線を巻いた電子部品において、コイルの端末を挟持する溝をボビン下面に外部端子と平行に設ける。
または、コイルの端末を挟持する溝をボビン側面に接続端子と平行に設けることにより、外部端子に編組線で巻回した巻線の端末をからげることなく、溝内に納めてほつれを防止することができる。溝の形状はＵ字型またはＶ字型にすることにより巻線の端末を挟持しやすくする。
さらに、溝を形成したガイドにコイルの端末を保持するスリットを設けることにより、巻線の端末を切断する作業が容易となる。スリットの形状はＵ字状またはＶ字状にすることにより巻線の端末を保持しやすくする。
【０００８】
そして、編組線を用いた電子部品の製造方法は、ボビンの鍔部に形成した端子保持部にＬ字型端子を植設して、端子保持部の側面にコイルの端末と接続する接続端子を出し、その下面に外部回路と接続する外部端子を出してなるコイルボビンに編組線を巻回し、巻回された巻線の端末を接続端子に突き刺して係止し、端末を溝部に押し込み挟持したのち、端末の余部を切断し、次いで端末と接続端子をはんだ付けする。
または、巻回された巻線の端末を接続端子に突き刺して係止し、端末の余部を切断したのち、溝部に押し込み挟持し、次いで端末と接続端子をはんだ付けする。
また、巻回された巻線の端末を、接続端子に突き刺して係止し、コイルの端末をスリットに保持したのち、端末を溝部に押し込み切断し、次いで端末と接続端子をはんだ付けする。
【０００９】
【実施例】
以下、本発明の実施例を図１乃至図２に基づいて説明する。
図１は本発明にかかる編組線を用いた電子部品の一実施例である。１は絶縁性の合成樹脂により鍔部と巻枠部を一体成形したボビンであり、２はボビンの下鍔である。３は編組線を巻回した巻線であり、３ａは巻線３の端末である。４は下鍔２の端子保持部に植設したＬ字型の端子であって、端子の一端４ａは下鍔の側面に巻線５の端末３ａを突き刺して接続する短い接続端子であり、端子の他端４ｂは下鍔２の底面に突出して外部回路と接続する長い外部端子である。５は下鍔２の底面に外部端子４ｂと平行に設けた巻線の端末３ａを押し込むＵ字型またはＶ字型の溝であり、６は溝５のガイドである。巻線の端末３ａのほつれ易い部分を溝に挟時できる。
【００１０】
つぎに、編組線を用いた電子部品の製造方法について図１により説明をする。まず、垂直方向に巻軸を備えたボビン１に編組線で巻回された巻線３の端末３ａは、下鍔２の側面に沿って引き出され、編組線の幅の中央部を接続端子４ａに突き刺し、そして下鍔２の底面に引き回し、端末３ａをカッター等（または刃のついた冶具でも良い）で溝５に押し込み、端末３ａを溝に挟持して切断する、または、予め端末３ａをガイド６面で切断した後、溝５に押し込み挟持しても良い。そして、巻線の端末３ａを突き刺した接続端子４ａとはんだ付けによって接続する。
また、図１（Ｂ）は溝５のガイド６にさらにＶ字状またはＵ字状のスリット７を設けたものであり、巻線の端末３ａを接続端子４ａに突き刺し、下鍔２の底面に引き回し、ガイド６のスリット７に仮挟持した後、カッター等８（または刃のついた冶具でも良い）で切断することにより、巻線作業―接続端子４ａに突き刺し作業−端末３ａの引き回し作業−端末の切断作業が一連の動作で容易に行うことができる。
【００１１】
このように、本発明によれば、巻線端末を、外部端子にからげることなく、外部回路と接続でき、電子部品の形状を大きくすることなく回路基板に搭載できる、そして、巻線の端末を溝に挟持することによりほつれによるひげを発生させることがない。また、編組線の巻線の端末を端子にからげることなく、接続端子に突き刺すだけの作業であるから、作業能率も向上させることができる。
【００１２】
つぎに、本発明の他の実施例を図２を用いて説明する。  １１は絶縁性の合成樹脂により鍔部と巻枠部を一体成形したボビンであり、１２はボビンの下鍔である。１３は編組線を巻回した巻線であり、１３ａは巻線１３の端末である。１４は下鍔１２の端子保持部に植設したＬ字型の端子であって、端子の一端１４ａは下鍔１２の側面に突出して端末１３ａを突き刺して接続する短い接続端子であり、端子の他端１４ｂは下鍔１２の底面に突出して外部回路と接続する長い外部端子である。１５は下鍔１２の側面に接続端子１４ａと平行に設けた端末１３ａを押し込み挟持するＵ字型またはＶ字型の溝であり、１６は溝１５のガイドである。
【００１３】
つぎに、この編組線用コイルボビンを用いた電子部品の製造方法について説明をする。
まず、水平方向に巻軸を備えたボビン１１に編組線で巻回された巻線１３の端末１３ａは下鍔１２の底面から側面に沿って引き出され、端末１３ａの編組線の幅の中央部を下鍔１２の側面に設けられた接続端子１４ａに突き刺し、端末１３ａをカッター等（または刃のついた冶具でも良い）で溝１５に押し込み、端末１３ａを押し込み切断する、または、予め端末１３ａをガイド１６面で切断した後、溝１５に押し込み挟持しても良い。そして、巻線の端末１３ａを突き刺した接続端子１４ａをはんだ付けによって接続する。
そして、図１（Ｂ）のようにボビンに設けた溝のガイドにスリット状の案内溝を設け、編組線の端末を挟持することにより、さらに作業能率を上げることができる。
【００１４】
以上、本発明の編組線を用いた電子部品とその製造方法を述べたが、本発明はこれらの実施例に限られるものではない。例えば、ボビンは角型形状だけでなく丸型形状でも良く、ボビンと磁性体を組合せたものでも良い。そして、編組線についても複数の絶縁された単線の集合線を、各集合線が内側と外側へ交互に転位するように編むことによって、外殻形状が平角線に近似するように連続形成したものを用いたが単なる単線の集合線（リッツ線、より線等）から複雑に編んだ集合線を用いても良い。さらに、編組線の端末を押し込む溝形状およびガイドのスリットの形状はＵ字状やＶ字状だけでなく、編組線を挟持できるようなテーパでもよい。さらにまた、ボビンは編組線が引き回される部分にテーパや凹溝を設けて位置決めできる配線しやすい構造としても良い。
【００１５】
【発明の効果】
本発明の編組線を用いた電子部品は、以上説明したように、Ｌ字状端子を植設したコイルボビンを用い、編組線を用いた巻線の端末を接続端子に突き刺し、編組線を押し込む溝を設けることにより、形状を大きくすることなく回路基板に搭載して外部回路と接続できる。そしてひげを発生させることがないために安心して回路基板に搭載することができる。また、編組線の巻線の端末を接続端子にからげることなく、突き刺すだけの作業であるから、作業能率も向上させることができる等、種々の効果を奏する。さらにまた構造が簡単である。
【図面の簡単な説明】
【図１】本発明の一実施例である編組線を用いた電子部品の斜視図
【図２】本発明の他の実施例である編組線を用いた電子部品の斜視図
【図３】従来の編組線を使用した電子部品の説明図
【符号の説明】
１  ボビン
２  下鍔
３  巻線
３ａ  巻線の端末
４、４ａ、４ｂ  端子
５  溝
６  ガイド
７  スリット
【図１】
0003614770.tif 000002
【図２】
0003614770.tif 000003
【図３】
0003614770.tif 000004